(57)【特許請求の範囲】
【請求項１】
携帯電話事業者の基地局と交換局とを介してインタネットと公衆電話網とに接続された携帯端末と、
前記インタネットと前記公衆電話網とに接続された情報配信サービス事業者のサーバ装置と
を具備し、
前記携帯端末は、ユーザーによる音声入力及び文字入力の少なくとも一方に基づいて、音声データ及び表示データの少なくとも一方の形態でデータの配信を要求するデータ形態要求信号と、前記携帯端末から前記サーバ装置への第１通信経路及び前記サーバ装置から前記携帯端末への第２通信経路の各々について前記インタネット及び前記公衆電話網のいずれかを選択する通信方法選択信号とを、選択された前記第１通信経路で前記サーバ装置へ送信し、
前記サーバ装置は、前記データ形態要求信号と前記通信方法選択信号とに基づいて、要求されたデータを選択された前記第２通信経路で前記携帯端末へ送信する
情報配信システム。
【請求項２】
前記携帯端末は、前記第１通信経路、前記第２通信経路、又は、前記第１通信経路と前記第２通信経路の両方について、前記インタネットと前記公衆電話網の両方を選択する
請求項１に記載の情報配信システム。
【請求項３】
前記携帯端末は、前記データの配信の形態について、表示データ、音声データの両方を選択する
請求項２に記載の情報配信システム。
【請求項４】
前記携帯端末と前記サーバ装置との通信は、音声データを通信する音声データ通信と表示データを通信する表示データ通信とを有し、
前記第１通信経路及び前記第２通信経路の各々は、前記音声データ通信の通信経路としての携帯電話機−基地局−公衆電話網−サーバ装置、前記音声データ通信の通信経路としての携帯電話機−基地局−インタネット−サーバ装置、前記表示データ通信の通信経路としての携帯電話機−基地局−インタネット−サーバ装置、及び前記表示データ通信の通信経路としての携帯電話機−基地局−公衆電話網−サーバ装置が可能である
請求項１乃至３のいずれか一項に記載の情報配信システム。
【請求項５】
外部とデータの入出力を行う入出力部と、
前記入出力部を介したユーザーによる音声入力及び文字入力の少なくとも一方に基づいて、音声データ及び表示データの少なくとも一方の形態でデータの配信を要求するデータ形態要求信号と、情報配信事業者のサーバ装置への第１通信経路と前記サーバ装置からの第２通信経路の各々についてインタネット及び公衆電話網のいずれかを選択する通信方法選択信号とを出力する制御部と、
前記データ形態要求信号と前記通信方法選択信号とを、前記通信方法選択信号に基づいて携帯電話事業者の交換局により選択される前記第１通信経路を介して、前記サーバ装置へ送信する無線部と
を具備し、
前記無線部は、前記サーバ装置が選択された前記第２通信経路を介して送信した要求されたデータを受信し、
前記入出力部は、前記要求されたデータに応じた形態で、前記要求されたデータを出力する
携帯端末。
【請求項６】
前記出力部は、
前記要求されたデータに前記音声データが含まれる場合、前記音声データを再生する音声部と、
前記要求されたデータに前記表示データが含まれる場合、前記表示データを表示する表示部と
を含む
請求項５に記載の携帯端末。
【請求項７】
前記携帯端末と前記サーバ装置との通信は、音声データを通信する音声データ通信と表示データを通信する表示データ通信とを有し、
前記第１通信経路及び前記第２通信経路の各々は、前記音声データ通信の通信経路としての携帯電話機−基地局−公衆電話網−サーバ装置、前記音声データ通信の通信経路としての携帯電話機−基地局−インタネット−サーバ装置、前記表示データ通信の通信経路としての携帯電話機−基地局−インタネット−サーバ装置、及び前記表示データ通信の通信経路としての携帯電話機−基地局−公衆電話網−サーバ装置が可能である
請求項５又は６に記載の携帯端末。
【請求項８】
ユーザーによる音声入力及び文字入力の少なくとも一方に基づいて携帯端末から出力された音声データ及び表示データの少なくとも一方の形態でデータの配信を要求するデータ形態要求信号と、前記携帯端末からの第１通信経路及び前記携帯端末への第２通信経路の各々についてインタネット及び公衆電話網のいずれかを選択する通信方法選択信号とを、選択された前記第１通信経路を介して、受信するインターフェース部と、
所定のデータを含むデータベースと、
前記データ形態要求信号に基づいて、要求されたデータを前記データベースから取得し、前記通信方法選択信号に基づいて、前記要求されたデータを前記インターフェース部を介して、選択された前記第２通信経路を介して前記携帯端末へ送信する制御部と
前記制御部が受信した前記データ形態要求信号が音声信号の場合、前記音声信号をデータ検索用信号に変換し、前記制御部へ出力する音声認識応答部と
を具備し、
前記制御部は、前記データ検索用信号に基づいて、前記要求されたデータを前記データベースから取得する
サーバ装置。
【請求項９】
音声認識応答部は、前記要求されたデータの配信形態が前記音声データの場合、前記制御部が前記データベースから取得した前記要求されたデータを音声に変換し、前記制御部へ出力し、
前記制御部は、前記音声を選択された前記第２通信経路を介して前記携帯端末へ送信する
請求項８に記載のサーバ装置。
【請求項１０】
前記データ形態要求信号と前記通信方法選択信号とを格納する記憶部を更に具備し、
前記制御部は、前記データベースの前記データ形態要求信号に対応する前記要求されたデータが更新されたとき、更新された前記要求されたデータを前記通信方法選択信号の前記第２通信経路で前記携帯端末へ送信する
請求項８又は９に記載のサーバ装置。
【請求項１１】
前記制御部から出力された前記要求されたデータに対応する料金信号に基づいて、前記携帯端末のユーザに対する決済を実行する課金処理部を更に備える
請求項８乃至１０のいずれか一項に記載のサーバ装置。
【請求項１２】
ユーザーによる音声入力及び文字入力の少なくとも一方に基づいて、携帯端末から音声データ及び表示データの少なくとも一方の形態でデータの配信を要求するデータ形態要求信号と、前記携帯端末から前記サーバ装置への第１通信経路及び前記サーバ装置から前記携帯端末への第２通信経路の各々についてインタネット及び公衆電話網のいずれかを選択する通信方法選択信号とを、携帯電話事業者の基地局へ送信するステップと、
前記通信方法選択信号に基づいて、前記基地局を経由して前記携帯電話事業者の交換局から、選択された前記第１通信経路で前記サーバ装置へ前記データ形態要求信号と前記通信方法選択信号とを送信するステップと、
前記データ形態要求信号及び前記通信方法選択信号に基づいて、前記データ形態要求信号で要求されたデータを選択された前記第２通信経路で前記サーバ装置から前記携帯端末へ送信するステップと
を具備する情報配信方法。
【請求項１３】
前記データ形態要求信号は、音声データ及び文字データのうちのいずれかである
請求項１２に記載の情報配信方法。
【請求項１４】
前記データ形態要求信号と前記通信方法選択信号とを前記サーバ装置に格納するステップと、
前記サーバ装置が所持する前記データ形態要求信号に対応する前記要求されたデータが更新されたとき、更新された前記要求されたデータを前記通信方法選択信号の前記第２通信経路で前記携帯端末へ送信するステップと
を更に具備する請求項１２又は１３に記載の情報配信方法。
【請求項１５】
ユーザーによる音声入力及び文字入力の少なくとも一方の入力に基づいて、音声データ及び表示データの少なくとも一方の形態でデータの配信を要求するデータ形態要求信号と、情報配信事業者のサーバ装置への第１通信経路及び前記サーバ装置からの第２通信経路の各々についてインタネット及び公衆電話網のいずれかを選択する通信方法選択信号とを生成するステップと、
前記データ形態要求信号と前記通信方法選択信号とを、選択された前記第１通信経路を介して、前記サーバ装置へ向けて送信するステップと、
前記サーバ装置が前記データ形態要求信号に基づいて取得し前記通信方法選択信号に基づいて選択された前記第２通信経路で送信したデータを受信するステップと、
受信した前記データに応じた形態で、前記データを出力するステップと
を実行させるためのプログラムを記録したコンピュータ読み取り可能な記録媒体。
【請求項１６】
前記データを出力するステップは、
前記要求されたデータに前記音声データが含まれる場合、前記音声データを試聴可能に再生するステップと、
前記要求されたデータに前記表示データが含まれる場合、前記表示データを視認可能に表示するステップと
を含む
請求項１５に記載のコンピュータ読み取り可能な記録媒体。
【請求項１７】
ユーザーによる音声入力及び文字入力の少なくとも一方に基づいて携帯端末から出力された音声データ及び表示データの少なくとも一方の形態でデータの配信を要求するデータ形態要求信号と、前記携帯端末からの第１通信経路及び前記携帯端末への第２通信経路の各々についてインタネット及び公衆電話網のいずれかを選択する通信方法選択信号とを、選択された前記第１通信経路を介して受信するステップと、
前記データ形態要求信号に基づいて、前記データ形態要求信号で要求されたデータをデータベースから取得するステップと、
前記通信方法選択信号に基づいて、前記要求されたデータを選択された前記第２通信経路で前記携帯端末へ送信するステップと
を実行させるためのプログラムを記録したコンピュータ読み取り可能な記録媒体。
【請求項１８】
前記要求されたデータをデータベースから取得するステップは、
受信した前記データ形態要求信号が音声信号の場合、前記音声信号をデータ検索用信号に変換するステップと、
前記データ検索用信号に基づいて、前記要求されたデータを前記データベースから取得するステップと
を備える
請求項１７に記載のコンピュータ読み取り可能な記録媒体。
【請求項１９】
前記要求されたデータを選択された前記第２通信経路で前記携帯端末へ送信するステップは、
前記要求されたデータが前記音声データの場合、前記データベースから取得した前記要求されたデータを音声に変換するステップと、
前記音声を選択された前記第２通信経路を介して前記携帯端末へ送信するステップと
を備える
請求項１７又は１８に記載のコンピュータ読み取り可能な記録媒体。
【発明の詳細な説明】
【０００１】
【発明の属する技術分野】
本発明は、情報配信システム、携帯端末、サーバ装置及び、情報配信方法に関し、特に、音声で表現されたデータによる通信か文字や画像で表現されたデータによる通信かによって制限されることなく情報配信要求者の希望に応じて要求情報を配信する情報配信システム、携帯端末、サーバ装置、及び、情報配信方法に関する。
【０００２】
【従来の技術】
携帯電話機の普及により、そのユーザーは、多様なデータの中から任意のデータを時間的、空間的制約を殆ど受けずに入手することができる。データは、文字で表現された文字データと、音声で表現された音声データとを有する。文字データと音声データとは相互に変換可能である。すなわち、文字データと音声データは音声及び文字のいずれの方法でも表現することができる。通信方法は、主に一般的な電話で用いられる公衆電話網を用いる方法と、主にコンピュータの通信で用いられるインタネットを用いる方法とがある。このような両通信方法の使用機器の相違は、携帯電話機の普及により無くなりつつある。上述のように、文字データと音声データとは、変換により本質的には同じように取り扱える。しかし、人の聴覚と視覚という物理的インタフェースを利用することは、人が目と耳を有している限りなくなることはない。
【０００３】
ユーザーが、端末から情報配信者に情報の配信を要求し、文字又は音声で、その情報を取得するシステムは、特開平１１−１４５９５５号で知られている。データの要求及び配信において、表示データ（例示：文字データ、画像データ）及び音声データのようなデータの形態や配信方法を状況に応じて適宜変更可能なデータ配信が求められる。
【０００４】
【発明が解決しようとする課題】
本発明の課題は、表示データ及び音声データのようなデータの形態やそれらの配信方法を状況に応じて適宜変更可能なデータ配信が可能である情報配信システム、情報端末、サーバ装置及び、情報配信方法を提供することにある。
【０００５】
【課題を解決するための手段】
上記課題を解決するために本発明の情報配信システムは、携帯電話事業者の基地局と交換局とを介してインタネットと公衆電話網とに接続された携帯端末と、前記インタネットと前記公衆電話網とに接続された情報配信サービス事業者のサーバ装置とを具備する。前記携帯端末は、ユーザーによる音声入力及び文字入力の少なくとも一方に基づいて、音声データ及び表示データの少なくとも一方を要求するデータ形態要求信号と、前記携帯端末から前記サーバ装置への第１通信経路及び前記サーバ装置から前記携帯端末への第２通信経路の各々について前記インタネット及び前記公衆電話網のいずれかを選択する通信方法選択信号とを、選択された前記第１通信経路で前記サーバ装置へ送信する。前記サーバ装置は、前記データ形態要求信号と前記通信方法選択信号とに基づいて、要求されたデータを選択された前記第２通信経路で前記携帯端末へ送信する。
上記の情報配信システムは、前記携帯端末は、前記インタネットと前記公衆電話網の両方を選択しても良い。
上記の情報配信システムは、前記携帯端末は、表示データ、音声データの両方を選択しても良い。
上記の情報配信システムは、前記携帯端末と前記サーバ装置との通信が、音声データを通信する音声データ通信と表示データを通信する表示データ通信とを有する。前記第１通信経路及び前記第２通信経路の各々は、前記音声データ通信の通信経路としての携帯電話機−基地局−公衆電話網−サーバ装置、前記音声データ通信の通信経路としての携帯電話機−基地局−インタネット−サーバ装置、前記表示データ通信の通信経路としての携帯電話機−基地局−インタネット−サーバ装置、及び前記表示データ通信の通信経路としての携帯電話機−基地局−公衆電話網−サーバ装置が可能である。
データの携帯端末所有者は、データ内容と携帯端末所有者の位置の環境とに従って、都合がよいデータ形態で都合がよい通信方法により、視覚的表現データか聴覚的表現データを任意に選択して受け取ることができる。
【０００６】
上記課題を解決するために本発明の携帯端末は、入出力部と、制御部と、無線部とを具備する。入出力部は、外部とデータの入出力を行う。制御部は、前記入出力部を介したユーザーによる音声入力及び文字入力の少なくとも一方に基づいて、音声データ及び表示データの少なくとも一方を要求するデータ形態要求信号と、情報配信事業者のサーバ装置への第１通信経路と前記サーバ装置からの第２通信経路の各々についてインタネット及び公衆電話網のいずれかを選択する通信方法選択信号とを出力する。無線部は、前記データ形態要求信号と前記通信方法選択信号とを、選択された前記第１通信経路を介して、前記サーバ装置へ送信する。前記無線部は、前記サーバ装置が選択された前記第２通信経路を介して送信した要求されたデータを受信する。前記入出力部は、前記要求されたデータに応じた形態で、前記要求されたデータを出力する。
上記の携帯端末は、前記出力部が、前記要求されたデータに前記音声データが含まれる場合、前記音声データを再生する音声部と、前記要求されたデータに前記表示データが含まれる場合、前記表示データを表示する表示部とを含む。
上記の携帯端末は、前記携帯端末と前記サーバ装置との通信は、音声データを通信する音声データ通信と表示データを通信する表示データ通信とを有する。前記第１通信経路及び前記第２通信経路の各々は、前記音声データ通信の通信経路としての携帯電話機−基地局−公衆電話網−サーバ装置、前記音声データ通信の通信経路としての携帯電話機−基地局−インタネット−サーバ装置、前記表示データ通信の通信経路としての携帯電話機−基地局−インタネット−サーバ装置、及び前記表示データ通信の通信経路としての携帯電話機−基地局−公衆電話網−サーバ装置が可能である。
【０００７】
上記課題を解決するために本発明のサーバ装置は、インターフェース部と、データベースと、制御部と、音声認識応答部とを具備する。インターフェース部は、ユーザーによる音声入力及び文字入力の少なくとも一方に基づいて携帯端末から出力された音声データ及び表示データの少なくとも一方を要求するデータ形態要求信号と、前記携帯端末からの第１通信経路及び前記携帯端末への第２通信経路の各々についてインタネット及び公衆電話網のいずれかを選択する通信方法選択信号とを、選択された前記第１通信経路を介して受信する。データベースは、所定のデータを含む。制御部は、前記データ形態要求信号に基づいて、要求されたデータを前記データベースから取得し、前記通信方法選択信号に基づいて、前記要求されたデータを前記インターフェース部を介して、選択された前記第２通信経路を介して前記携帯端末へ送信する。音声認識応答部は、前記制御部が受信した前記データ形態要求信号が音声信号の場合、前記音声信号をデータ検索用信号に変換し、前記制御部へ出力する。前記制御部は、前記データ検索用信号に基づいて、前記要求されたデータを前記データベースから取得する。
上記のサーバ装置は、音声認識応答部が、前記要求されたデータが前記音声データの場合、前記制御部が前記データベースから取得した前記要求されたデータを音声に変換し、前記制御部へ出力する。前記制御部は、前記音声を選択された前記第２通信経路を介して前記携帯端末へ送信する。
上記のサーバ装置は、前記データ形態要求信号と前記通信方法選択信号とを格納する記憶部を更に具備する。前記制御部は、前記データベースの前記データ形態要求信号に対応する前記要求されたデータが更新されたとき、更新された前記要求されたデータを前記通信方法選択信号の前記第２通信経路で前記携帯端末へ送信する。
上記のサーバ装置は、前記制御部から出力された前記要求されたデータに対応する料金信号に基づいて、前記携帯端末のユーザに対する決済を実行する課金処理部を更に備える。
【０００８】
上記課題を解決するために本発明の情報配信方法は、ユーザーによる音声入力及び文字入力の少なくとも一方に基づいて、携帯端末から音声データ及び表示データの少なくとも一方を要求するデータ形態要求信号と、前記携帯端末から前記サーバ装置への第１通信経路及び前記サーバ装置から前記携帯端末への第２通信経路の各々についてインタネット及び公衆電話網のいずれかを選択する通信方法選択信号とを、携帯電話事業者の基地局へ送信するステップと、前記通信方法選択信号に基づいて、前記基地局を経由して前記携帯電話事業者の交換局から、選択された前記第１通信経路で前記サーバ装置へ前記データ形態要求信号と前記通信方法選択信号とを送信するステップと、前記データ形態要求信号及び前記通信方法選択信号に基づいて、前記データ形態要求信号で要求されたデータを選択された前記第２通信経路で前記サーバ装置から前記携帯端末へ送信するステップとを具備する。
上記の情報配信方法は、前記データ形態要求信号は、音声データ、文字データ及び画像データのうちのいずれかである。
上記の情報配信方法は、前記データ形態要求信号と前記通信方法選択信号とを前記サーバ装置に格納するステップと、前記サーバ装置が所持する前記データ形態要求信号に対応する前記要求されたデータが更新されたとき、更新された前記要求されたデータを前記通信方法選択信号の前記第２通信経路で前記携帯端末へ送信するステップとを更に具備する。
【０００９】
上記課題を解決するために本発明のコンピュータとしての携帯端末に実行させるプログラムは、ユーザーによる音声入力及び文字入力の少なくとも一方の入力に基づいて、音声データ及び表示データの少なくとも一方を要求するデータ形態要求信号と、情報配信事業者のサーバ装置への第１通信経路及び前記サーバ装置からの第２通信経路の各々についてインタネット及び公衆電話網のいずれかを選択する通信方法選択信号とを生成するステップと、前記データ形態要求信号と前記通信方法選択信号とを、選択された前記第１通信経路を介して、前記サーバ装置へ向けて送信するステップと、前記サーバ装置が前記データ形態要求信号に基づいて取得し前記通信方法選択信号に基づいて選択された前記第２通信経路で送信したデータを受信するステップと、受信した前記データに応じた形態で、前記データを出力するステップとを具備する。
上記のプログラムは、前記データを出力するステップが、前記要求されたデータに前記音声データが含まれる場合、前記音声データを試聴可能に再生するステップと、前記要求されたデータに前記表示データが含まれる場合、前記表示データを視認可能に表示するステップとを含む。
【００１０】
上記課題を解決するために本発明のコンピュータとしての情報配信業者のサーバ装置に実行させるプログラムは、ユーザーによる音声入力及び文字入力の少なくとも一方に基づいて携帯端末から出力された音声データ及び表示データの少なくとも一方を要求するデータ形態要求信号と、前記携帯端末からの第１通信経路及び前記携帯端末への第２通信経路の各々についてインタネット及び公衆電話網のいずれかを選択する通信方法選択信号とを、選択された前記第１通信経路を介して受信するステップと、前記データ形態要求信号に基づいて、前記データ形態要求信号で要求されたデータをデータベースから取得するステップと、前記通信方法選択信号に基づいて、前記要求されたデータを選択された前記第２通信経路で前記携帯端末へ送信するステップとを具備する。
上記のプログラムは、前記要求されたデータをデータベースから取得するステップが、
受信した前記データ形態要求信号が音声信号の場合、前記音声信号をデータ検索用信号に変換するステップと、前記データ検索用信号に基づいて、前記要求されたデータを前記データベースから取得するステップとを備える。
上記のプログラムは、前記要求されたデータを選択された前記第２通信経路で前記携帯端末へ送信するステップが、前記要求されたデータが前記音声データの場合、前記データベースから取得した前記要求されたデータを音声に変換するステップと、前記音声を選択された前記第２通信経路を介して前記携帯端末へ送信するステップとを備える。
【００１１】
【発明の実施の形態】
図１において、本発明による情報配信システムの実施の形態は、ユーザーに対応する携帯電話機と情報配信サービス事業者に対応するサーバ装置との間が、双方向に、インタネットと公衆電話網とにより接続されている。その携帯電話機１は、図１に示されるように、携帯電話事業者２を介して、インタネット３と公衆電話網４とに接続している。携帯電話事業者２は、インタネット３と公衆電話網４とを介して情報配信サービス事業者のサーバ装置５に接続している。携帯電話事業者２は、基地局６と交換局７とを設けている。携帯電話機１と基地局６との間の通信は、無線で行われる。交換局７は、インタネット３と公衆電話網４のいずれかを選択し、又は、インタネット３と公衆電話網４の両方を選択する。
【００１２】
図２は、携帯電話機１を詳しく示している。携帯電話機１は、制御部８を有している。携帯電話機１は、更に、スピーカ９とマイク１１とから構成される音声データ入出力部１２と、操作部１３と表示部１４とから構成される文字データ入出力部１５と有している。音声データ入出力部１２と公衆電話網４との接続は従来知られた携帯電話による通信に対応し、文字データ入出力部１５とインタネット３との接続は従来知られたインタネットを介した通信に対応する。制御部８は、文字データ入出力部１５と公衆電話網４の接続と、及び音声データ入出力部１２とインタネット３との接続のうちのいずれかを選択する、又は、それらの２つの接続の両方を互い違いに選択する。携帯電話機１は、音声表現通信と文字表現通信とをこのように互い違いに選択して、インタネット３と公衆電話網４とを介して下記の経路で通信を実行することができる。
音声データ通信：携帯電話機−基地局−（交換局）−公衆電話網４−サーバ装置５
音声データ通信：携帯電話機−基地局−（交換局）−インタネット３−サーバ装置５
文字データ通信：携帯電話機−基地局−（交換局）−インタネット３−サーバ装置５
文字データ通信：携帯電話機−基地局−（交換局）−公衆電話網４−サーバ装置５
【００１３】
携帯電話機１は、更に、記憶部１６を有している。音声データ入出力部１２のマイク１１から入力される音声要求データ１７と文字データ入出力部１５の操作部１３から入力される文字要求データ１８とは、制御部８を介して記憶部１６に記憶される。携帯電話機１は、更に、無線部１９を有している。制御部８は、操作部１３の通信方法選択キー（図示されず）のユーザー操作に基づく通信方法選択信号２１に対応して、音声要求データ１７と文字要求データ１８とに通信方法選択信号２１をそれぞれに付加し、無線部１９と送受信アンテナ２２とを介して、通信方法選択信号付き音声要求データ２３、又は、通信方法選択信号付き文字要求データ２４、又は、それらの両方を選択して携帯電話事業者２に送信する。携帯電話事業者２の基地局６は、音声要求データ２３又は文字要求データ２４を受信し、携帯電話事業者２の交換局７は通信方法選択信号２１に従ってインタネット３又は公衆電話網４を選択し、音声要求データ１７又は文字要求データ１８をインタネット３又は公衆電話網４を介してサーバ装置５に送信する。
【００１４】
図３は、サーバ装置５の詳細を示している。サーバ装置５は、サーバ制御部３０を有している。サーバ制御部３０は、データベース部２５と課金処理部２６とのそれぞれに接続している。サーバ制御部３０は、音声要求データ１７又は文字要求データ１８の要求に応じて、その要求に対応するデータを検索し、要求に対応するデータを配信データ２７として取得する。サーバ装置５は、更に、音声認識応答部２８を有している。サーバ制御部３０は、音声認識応答部２８に双方向に接続している。音声認識応答部２８は、音声データである音声要求データ１７を認識して音声要求データ１７に対応するデータ検索用信号２９に変換してサーバ制御部３０に送り返す音声認識機能と、配信データ２７を音声に変換する音声合成機能を有している。
【００１５】
サーバ制御部３０は、配信データ２７を受取り配信データ２７に相当する料金信号３２を課金処理部２６に出力する。課金処理部２６は、他の通信方法である郵便により課金額を携帯電話機１の所有者であるユーザーに伝達する。課金方法は、ユーザーとサーバ装置を所有する情報配信サービス事業者との間に契約に基づいて、公知の多様な決済方法（例示：銀行口座からの自動落とし）から自由に選択することができる。サーバ装置５は、更に、ネットワークインターフェース部３１を形成している。ネットワークインターフェース部３１は、サーバ制御部３０に、インタネット３又は公衆電話網４を選択して、又は、その両方を接続することができる。
【００１６】
図４は、本発明による情報配信方法の実施の形態を示している。
行為ステップＳ１：
情報配信サービス事業者は、サーバ装置５のサーバ制御部３０によって、携帯電話機１からユーザーの配信要求を受け取る。サーバ制御部３０は、その配信要求が音声要求データ１７であるか文字要求データ１８であるか、又は、それらの両方であるかを識別する。サーバ制御部３０は、その配信要求が音声要求データ１７であれば、その音声要求データ１７を音声認識応答部２８に送る。音声認識応答部２８は、音声要求データ１７の音声をデータ検索用信号２９に変換してデータ検索用信号２９をサーバ制御部３０に送り返す。
【００１７】
行為ステップＳ２：
サーバ制御部３０は、データ検索用信号２９又は文字要求データ１８に基づいて、携帯電話事業者５の中で配信データ２７を検索してそれを取得する。
行為ステップＳ３：
配信データ２７が、文字データとして配信されるように要求されているかどうかを、音声要求データ１７又は文字要求データ１８に基づいて判断する。
【００１８】
行為ステップＳ４：
配信データ２７が文字データとして配信されるべきものであれば、サーバ制御部３０は配信データ２７を文字データとして出力する。この場合、サーバ制御部３０は、通信方法選択信号２１に基づいて、配信データ２７に通信方法選択信号を付加する。サーバ制御部３０は、通信方法選択信号付き文字配信データ２４’を出力してネットワークインターフェース部３１を介してインタネット３又は公衆電話網４に出力する。
【００１９】
行為ステップＳ５：
ステップＳ３で、配信データ２７が文字データとして配信されるべきものでなければ、サーバ制御部３０は配信データ２７を音声認識応答部２８に送り、音声認識応答部２８は配信データ２７を音声データに変換し、サーバ制御部３０は、通信方法選択信号２１に基づいて、その音声データに通信方法選択信号を付加する。サーバ制御部３０は、通信方法選択信号付き音声配信データ２３’を出力してネットワークインターフェース部３１を介してインタネット３又は公衆電話網４に出力する。
【００２０】
行為ステップＳ６，７：
配信データ２７が、ステップＳ３で文字データとして配信されるべきものであるとサーバ制御部３０で判断され、ステップＳ３で更に音声データとしても配信されるべきものであるとサーバ制御部３０で判断されれば、配信データ２７は音声配信データ２３’と文字配信データ２４’として、インタネット３又は公衆電話網４に出力される。又は、インタネット３と公衆電話網４に出力され、即ち、次の４通りのパターンで出力される。
音声配信データ２３’−インタネット３、及び、文字配信データ２４’−インタネット３
音声配信データ２３’−インタネット３、及び、文字配信データ２４’−公衆電話網４
音声配信データ２３’−公衆電話網４、及び、文字配信データ２４’−インタネット３
音声配信データ２３’−公衆電話網４、及び、文字配信データ２４’−公衆電話網４
【００２１】
行為ステップＳ８：
課金処理部２６は、４通りの出力と配信データ２７とに対応する料金をユーザーに通知してその決済を実行する。
行為ステップＳ９，Ｓ１０：
携帯電話機１の制御部８は、図５に示されるように、配信される音声配信データ２３’，文字配信データ２４’を受信する。音声配信データ２３’は、スピーカ９から出力される。文字配信データ２４’は、表示部１４から出力される。
【００２２】
音声データ、文字データの配信は、公衆電話網４を介して行われるべきものであれば、その回線の接続中に実行される。音声データ、文字データの配信は、インタネット３を介して行われるべきものであれば、携帯電話機１の回線の接続が一旦中断された後に携帯電話機１の回線にサーバ装置５側から再接続することにより実行される。秘匿性が比較的に高いデータは公衆電話網４を介して双方向に通信され、秘匿性が比較的に薄いデータはインタネット３を介して双方向に通信され得る。操作部１３の操作に不慣れであるユーザー、表示部１４の表示を読み取ることが困難である状況にあるユーザーは、音声データ通信方法による文字データ配信を要求することができる。
【００２３】
互い違いに行う通信方法の例示：
配信は正確でなければならない乗り物の時刻案内では、ユーザーは、出発駅と到着駅を音声データ要求２３として携帯電話機１からサーバ装置５に入力し、情報配信サービス業者は、出発駅から到着駅までの間の路線の時刻表を文字データ配信２４’としてサーバ装置５から携帯電話機１に送信する。ユーザーは、リアルタイムでその時刻表を知りたい場合には、公衆電話網４による双方向通信を要求する。発音が酷似して駅名が音声認識によって混同される恐れがある場合であり、且つ、配信があればただちにその内容を知りたい場合には、出発駅と到着駅を文字データ要求２４として携帯電話機１からサーバ装置５にインタネット３を介して、情報配信サービス業者は、出発駅から到着駅までの間の路線の時刻表を音声データ配信２３’としてサーバ装置５から携帯電話機１に公衆電話網４を介して送信する。このように、ユーザーは、もっとも好都合である要求・配信方法を、４通りの要求方法と４通りの配信方法との組合せである１６通りの要求・配信方法から選択することができる。
【００２４】
図６は、本発明による情報配信システムの実施の他の形態を示している。本実施の形態は、更に、配信要求記憶部４１がサーバ装置５に追加されている。サーバ制御部３０は、配信要求記憶部４１に双方向にデータの送受信が行えるように接続している。音声要求データ２３又は文字要求データ２４、又は、音声要求データ２３と文字要求データ２４と、音声要求データ１７又は文字要求データ１８と、通信方法選択信号２１とをサーバ制御部３０で受信し、配信要求記憶部４１に記憶している。サーバ制御部３０は、音声配信データ２３’又は文字配信データ２４’をインタネット３又は公衆電話網４、又は、インタネット３と公衆電話網４とを介して配信を完了した後にも音声要求データ２３と文字要求データ２４とを配信要求記憶部４１で保持し、配信データ２７に対応するデータ処理部２６の中のデータが変更された場合には、変更された後の変更後音声配信データ２３”，変更後文字配信データ２４”を通信方法選択信号２１に従って携帯電話機１に配信する。
【００２５】
【発明の効果】
本発明による情報配信システム、及び、情報配信方法は、表示データ及び音声データのようなデータの形態やそれらの配信方法を状況に応じて適宜変更可能なデータ配信が行われ得る。
【図面の簡単な説明】
【図１】図１は、本発明による情報配信システムの実施の形態を示すシステムブロック図である。
【図２】図２は、携帯電話事業者の設備機器を示す回路ブロック図である。
【図３】図３は、設備機器の詳細を示す回路ブロック図である。
【図４】図４は、本発明による情報配信システムの実施の形態の動作を示す動作フロー図である。
【図５】図５は、他の動作を示す示すフロー図である。
【図６】図６は、本発明による情報配信システムの実施の他の形態を示す回路ブロック図である。
【符号の説明】
１…携帯端末
３…インタネット
４…公衆電話網
５…サーバ装置
６…基地局
７…交換局
２１…通信方法選択信号
２３，２４…データ形態要求選択信号
２６…課金処理部
２８…音声認識応答部
【図１】
0003569913.tif 000002
【図２】
0003569913.tif 000003
【図３】
0003569913.tif 000004
【図４】
0003569913.tif 000005
【図５】
0003569913.tif 000006
【図６】
0003569913.tif 000007